(57)【特許請求の範囲】
【請求項１】
下記式（１）で表されるアルコールとオレイン酸とのエステル（１）、及び
下記式（２）で表されるアルコールとオレイン酸とのエステル（２）
を含有し、
上記エステル（１）と上記エステル（２）との割合が、上記エステル（１）／上記エステル（２）（質量比）＝４０／６０〜９９／１である潤滑油用組成物。
【化１】
0006682032.tif 000008
（式（１）中、ｍ１は、０〜８の整数である。ｎ１は、０〜８の整数である。ｐ１は、１〜９の整数である。但し、ｍ１＋ｎ１＋ｐ１は９である。）
【化２】
0006682032.tif 000009
（式（２）中、ｍ２は、０〜９の整数である。ｎ２は、０〜９の整数である。ｐ２は、１〜１０の整数である。但し、ｍ２＋ｎ２＋ｐ２は１０である。）
【請求項２】
上記エステル（１）及び上記エステル（２）の合計含有量が、組成物の総質量に対して５０質量％以上である請求項１に記載の潤滑油用組成物。
【請求項３】
４０℃における動粘度が１３．５ｍｍ２／ｓ未満であり、引火点が２５０℃以上であり、かつ流動点が−２５℃以下である請求項１又は２に記載の潤滑油用組成物。
【発明の詳細な説明】
【技術分野】
【０００１】
本発明は、組成物に関する。
【背景技術】
【０００２】
潤滑油等として用いられるエステル含有組成物には、省エネルギーの観点で、摩擦をより低減させるため、動粘度が低いこと、安全性の観点、また、消防法上の指定可燃物とするため、２５０℃以上の高い引火点を有すること、及び使用温度領域を広くする観点から、流動点が低いことの全てを満たすことが求められる。
【０００３】
特許文献１には、トリメチロールプロパンを９０重量％以上含むアルコール成分と、エナント酸、カプリル酸及びカプリン酸を含み、かつ、エナント酸、カプリル酸及びカプリン酸を総量で９０重量％以上含むカルボン酸成分とを反応させて得られる合成エステルからなる潤滑油基油が記載されている。また、特許文献２には、分岐トリデシルアルコールとオレイン酸との反応により得られるエステルである潤滑油用エステル基油が記載されている。
【０００４】
最近では、低動粘度、高引火点及び低流動点の要求はさらに高まっており、上記従来の組成物ではこれらの要求を満たすことはできていない。
【先行技術文献】
【特許文献】
【０００５】
【特許文献１】特開２０１２−０６２３６１号公報
【特許文献２】特開２０１４−１８９５５５号公報
【発明の概要】
【発明が解決しようとする課題】
【０００６】
本発明は、以上のような事情に基づいてなされたものであり、その目的は、低動粘度、高引火点及び低流動点の全てを高いレベルで実現することができる組成物を提供することにある。
【課題を解決するための手段】
【０００７】
本発明者らは、上記課題を解決するために鋭意研究を重ねた結果、特定の分子構造を有する２種のエステルを混合して用いることにより、低動粘度、高引火点及び低流動点の全てを高いレベルで満足させることができることを見出し、本発明を完成させた。
【０００８】
上記課題を解決するためになされた発明は、下記式（１）で表されるアルコールとオレイン酸とのエステル（１）、及び下記式（２）で表されるアルコールとオレイン酸とのエステル（２）を含有する組成物である。
【化１】
0006682032.tif 000002
（式（１）中、ｍ１は、０〜８の整数である。ｎ１は、０〜８の整数である。ｐ１は、１〜９の整数である。但し、ｍ１＋ｎ１＋ｐ１は９である。）
【化２】
0006682032.tif 000003
（式（２）中、ｍ２は、０〜９の整数である。ｎ２は、０〜９の整数である。ｐ２は、１〜１０の整数である。但し、ｍ２＋ｎ２＋ｐ２は１０である。）
【０００９】
さらに詳しくは、本発明は、以下の発明等に関する。
［１］上記式（１）で表されるアルコールとオレイン酸とのエステル（１）、及び上記式（２）で表されるアルコールとオレイン酸とのエステル（２）を含有する組成物。
［２］エステル（１）とエステル（２）との割合が、エステル（１）／エステル（２）（質量比）＝４０／６０〜９９／１である［１］に記載の組成物。
［３］エステル（１）及びエステル（２）の合計含有量が、組成物の総質量に対して５０質量％以上である［１］又は［２］に記載の組成物。
［４］４０℃における動粘度が１３．５ｍｍ２／ｓ未満であり、引火点が２５０℃以上であり、かつ流動点が−２５℃以下である［１］〜［３］のいずれかに記載の組成物。
［５］潤滑油である［１］〜［４］のいずれかに記載の組成物。
【発明の効果】
【００１０】
本発明の組成物は、低動粘度（例えば４０℃で１３．５ｍｍ２／ｓ未満）、高引火点（例えば２５０℃以上）及び低流動点（例えば−２５℃以下）の全てを高いレベルで実現させることができる。従って、本発明の組成物は、潤滑油等として好適に用いることができる。
【発明を実施するための形態】
【００１１】
＜組成物＞
当該組成物は、エステル（１）及びエステル（２）を含有する。当該組成物は、本発明の効果を損なわない範囲において、エステル（１）及びエステル（２）以外の任意成分を含有していてもよい。
【００１２】
当該組成物は、潤滑油として好適に用いることができ、特に、切削油等の金属加工油として、より好適に用いることができる。
【００１３】
当該組成物は、エステル（１）及びエステル（２）を含有することで、低動粘度、高引火点及び低流動点の全てを高いレベルで実現させることができる。当該組成物が、上記構成を備えることで上記効果を奏する理由としては必ずしも明確ではないが、例えば以下のように推察することができる。すなわち、エステル（１）及びエステル（２）は、式（１）及び式（２）で表される分岐数が１の特定構造を有する炭素数１２及び炭素数１３のアルコールとオレイン酸とのエステルである。当該組成物は、このような特有の分子構造及び分子量を有するエステル（１）及びエステル（２）の混合物を用いることにより、動粘度をより低く、引火点をより高く、かつ流動点をより低くできる。
以下、各成分について説明する。
【００１４】
［エステル（１）］
エステル（１）は、式（１）で表されるアルコール（以下、「アルコール（１）」ともいう）とオレイン酸とのエステルである。
【００１５】
（アルコール（１））
アルコール（１）は、下記式（１）で表される化合物である。アルコール（１）は、炭素数１２の分岐数が１の１価の１級アルコールである。アルコールの「分岐数」とは、例えばアルキル鎖における分岐数をいい、アルコールの１Ｈ−ＮＭＲ分析により求めたメチル基の数から、主鎖の末端メチル基に相当する１を減ずることで算出することができる。
【００１６】
【化３】
0006682032.tif 000004
【００１７】
上記式（１）中、ｍ１は、０〜８の整数である。ｎ１は、０〜８の整数である。ｐ１は、１〜９の整数である。但し、ｍ１＋ｎ１＋ｐ１は９である。
【００１８】
ｍ１としては、１〜８が好ましく、２〜８がより好ましく、４〜８がさらに好ましい。
【００１９】
ｎ１としては、０〜６が好ましく、０〜５がより好ましく、０〜３がさらに好ましい。
【００２０】
ｐ１としては、１〜５が好ましく、１〜３がより好ましく、１又は２がさらに好ましく、１が特に好ましい。
【００２１】
アルコール（１）としては、例えば、
２−メチルウンデカン−１−オール、２−エチルデカン−１−オール、２−ブチルオクタン−１−オール、２−ペンチルヘプタン−１−オール等の上記式（１）のｐ１が１である化合物；
３−メチルウンデカン−１−オール、３−エチルデカン−１−オール、３−ブチルオクタン−１−オール、３−ペンチルヘプタン−１−オール等の上記式（１）のｐ１が２である化合物；
４−メチルウンデカン−１−オール、４−エチルデカン−１−オール、４−ブチルオクタン−１−オール、４−ペンチルヘプタン−１−オール等の上記式（１）のｐ１が３である化合物などが挙げられる。
【００２２】
アルコール（１）は、例えば、炭素数１１のα−オレフィンのオキソ反応及び水素化等により製造することができる。アルコール（１）は、１種又は２種以上を用いることができる。
【００２３】
（オレイン酸）
「オレイン酸」とは、（Ｚ）−９−オクタデセン酸を意味する。オレイン酸を主成分として含む脂肪酸混合物の市販品としては、例えば、「Ｅｖｙａｐ  Ｏｌｅｏ  Ｏ−１８７５」、「Ｅｖｙａｐ  Ｏｌｅｏ  Ｏ−１８７５  Ｐ」（以上、Ｅｖｙａｐ  Ｓａｂｕｎ  Ｍａｌａｙｓｉａ社）、「ＮＡＡ−３４」、「ＮＡＡ−３５」（以上、日油社）等が挙げられる。
【００２４】
上記脂肪酸混合物中のオレイン酸の含有率の下限としては、７０質量％が好ましく、７５質量％がより好ましく、８０質量％がさらに好ましい。上記脂肪酸混合物中のオレイン酸の含有率の上限は、１００質量％であってもよい。
【００２５】
エステル（１）は、例えば、アルコール（１）とオレイン酸とを用い、酸化スズ等を触媒としてエステル化反応を行うことにより得ることができる。
【００２６】
エステル（１）の含有量の下限としては、当該組成物の総質量に対して、１０質量％が好ましく、３０質量％がより好ましく、４０質量％がさらに好ましく、５０質量％が特に好ましい。エステル（１）の含有量の上限としては、当該組成物の総質量に対して、９９．９質量％が好ましく、９９質量％がより好ましく、９８質量％がさらに好ましく、９０質量％が特に好ましい。エステル（１）の含有量を上記範囲とすることで、低動粘度、高引火点及び低流動点をより高いレベルで実現させることができる。
【００２７】
当該組成物は、エステル（１）を１種又は２種以上含有していてもよい。
【００２８】
［エステル（２）］
エステル（２）は、式（２）で表されるアルコール（以下、「アルコール（２）」ともいう）とオレイン酸とのエステルである。
【００２９】
（アルコール（２））
アルコール（２）は、下記式（２）で表される化合物である。アルコール（２）は、炭素数１３の分岐数が１の１価の１級アルコールである。
【００３０】
【化４】
0006682032.tif 000005
【００３１】
上記式（２）中、ｍ２は、０〜９の整数である。ｎ２は、０〜９の整数である。ｐ２は、１〜１０の整数である。但し、ｍ２＋ｎ２＋ｐ２は１０である。
【００３２】
ｍ２としては、１〜９が好ましく、２〜９がより好ましく、４〜９がさらに好ましい。
【００３３】
ｎ２としては、０〜６が好ましく、０〜５がより好ましく、０〜３がさらに好ましい。
【００３４】
ｐ２としては、１〜５が好ましく、１〜３がより好ましく、１又は２がさらに好ましく、１が特に好ましい。
【００３５】
アルコール（２）としては、例えば、
２−メチルドデカン−１−オール、２−エチルウンデカン−１−オール、２−ブチルノナン−１−オール、２−ペンチルオクタン−１−オール等の上記式（２）のｐ２が１である化合物；
３−メチルドデカン−１−オール、３−エチルウンデカン−１−オール、３−ブチルノナン−１−オール、３−ペンチルオクタン−１−オール等の上記式（２）のｐ２が２である化合物；
４−メチルドデカン−１−オール、４−エチルウンデカン−１−オール、４−ブチルノナン−１−オール、４−ペンチルオクタン−１−オール等の上記式（２）のｐ２が３である化合物などが挙げられる。
【００３６】
アルコール（２）は、例えば、炭素数１２のα−オレフィンのオキソ反応及び水素化等により製造することができる。アルコール（２）は、１種又は２種以上を用いることができる。
【００３７】
エステル（２）は、例えば、アルコール（２）とオレイン酸とを用い、酸化スズ等を触媒としてエステル化反応を行うことにより得ることができる。
【００３８】
エステル（２）の含有量の下限としては、当該組成物の総質量に対して、０．１質量％が好ましく、１質量％がより好ましく、１０質量％がさらに好ましく、３０質量％が特に好ましい。エステル（２）の含有量の上限としては、当該組成物の総質量に対して、９９質量％が好ましく、９０質量％がより好ましく、７５質量％がさらに好ましく、６０質量％が特に好ましい。エステル（２）の含有量を上記範囲とすることで、低動粘度、高引火点及び低流動点をより高いレベルで実現させることができる。
【００３９】
当該組成物は、エステル（２）を１種又は２種以上含有していてもよい。
【００４０】
アルコール（１）及び／又はアルコール（２）を含むアルコールとしては、α−オレフィン由来のアルコール、すなわち、α−オレフィンからオキソ反応及び水素化等により製造されたアルコールが好ましい。ブテン由来のアルコール又はプロピレン由来のアルコール、すなわち、ブテン又はプロピレンの多量化により得られたオレフィンからオキソ反応及び水素化等により製造されたアルコールは、通常、分岐数が１．５〜２．９のアルコールである。このような分岐数が１より大きい多分岐のアルコールとオレイン酸とのエステルでは、組成物の動粘度は増大し、かつ引火点は低下する。
【００４１】
アルコール（１）とアルコール（２）とを含むアルコールの市販品としては、例えば、「ＩＳＡＬＣＨＥＭ」、「ＩＳＯＦＯＬ」、「ＳＡＦＯＬ」（以上、ＳＡＳＯＬ社）等が挙げられる。
【００４２】
エステル（１）とエステル（２）との割合としては、エステル（１）／エステル（２）（質量比）の下限として、３０／７０が好ましく、４０／６０がより好ましく、５０／５０がさらに好ましく、６０／４０が特に好ましく、７０／３０がさらに特に好ましく、８０／２０が最も好ましい。エステル（１）／エステル（２）（質量比）の上限として、９９．９／０．１が好ましく、９９／１がより好ましく、９５／５がさらに好ましく、９０／１０が特に好ましい。エステル（１）とエステル（２）との割合を上記範囲とすることで、低動粘度、高引火点及び低流動点をより高いレベルで実現させることができる。
【００４３】
エステル（１）及びエステル（２）の合計含有量の下限としては、当該組成物中のエステルの総質量に対して、７０質量％が好ましく、８０質量％がより好ましく、９０質量％がさらに好ましく、９５質量％が特に好ましい。エステル（１）及びエステル（２）の合計含有量の上限としては、例えば１００質量％であり、９９質量％が好ましい。「エステル」とは、アルコールと脂肪酸とのエステルを意味する。
【００４４】
エステル（１）及びエステル（２）の合計含有量の下限としては、当該組成物の総質量に対して、３０質量％が好ましく、５０質量％がより好ましく、７０質量％がさらに好ましく、８０質量％が特に好ましく、９０質量％がさらに特に好ましく、９５質量％が最も好ましい。エステル（１）及びエステル（２）の合計含有量の上限としては、例えば１００質量％であり、９９質量％が好ましい。
【００４５】
［任意成分］
任意成分としては、例えば、エステル（１）及びエステル（２）以外のエステル（以下、「エステル（３）」ともいう）、添加剤等が挙げられる。当該組成物は、任意成分を１種又は２種以上含有することができる。
【００４６】
（エステル（３））
エステル（３）としては、例えばアルコール（１）と炭素数が１７以下又は１９以上の脂肪酸とのエステル、アルコール（２）と炭素数が１７以下又は１９以上の脂肪酸とのエステル、分岐数が１超の分岐ドデシルアルコール又は直鎖ドデシルアルコールと脂肪酸とのエステル、分岐数が１超の分岐トリデシルアルコール又は直鎖トリデシルアルコールと脂肪酸とのエステル等が挙げられる。
【００４７】
当該組成物がエステル（３）を含有する場合、エステル（３）の含有量の上限としては、当該組成物中のエステルの総質量に対して、５０質量％が好ましく、３０質量％がより好ましく、１０質量％がさらに好ましく、３質量％が特に好ましい。エステル（３）の含有量の下限としては、当該組成物中のエステルの総質量に対して、例えば０．１質量％である。
【００４８】
当該組成物がエステル（３）を含有する場合、エステル（３）の含有量の上限としては、当該組成物の総質量に対して、６０質量％が好ましく、４０質量％がより好ましく、１５質量％がさらに好ましく、５質量％が特に好ましい。エステル（３）の含有量の下限としては、当該組成物の総質量に対して、例えば０．１質量％である。
【００４９】
当該組成物がエステル（３）を含有する場合、エステル（１）、エステル（２）及びエステル（３）の合計含有量の下限としては、当該組成物の総質量に対して、７０質量％が好ましく、８０質量％がより好ましく、９０質量％がさらに好ましく、９５質量％が特に好ましい。エステル（１）、エステル（２）及びエステル（３）の合計含有量の上限としては、例えば１００質量％であり、９９．９質量％が好ましく、９９質量％がより好ましい。
【００５０】
（添加剤）
添加剤としては、公知の添加剤を用いることができ、例えば、フェノール系の酸化防止剤；ベンゾトリアゾ−ル、チアジアゾール、ジチオカーバメート等の金属不活性化剤；エポキシ化合物、カルボジイミド等の酸捕捉剤；リン系の極圧剤；ポリアルキルメタクリレート（例えば、アクルーブ１３２、アクルーブ１４６等）の流動点降下剤などが挙げられる。
【００５１】
当該組成物が添加剤を含有する場合、添加剤の含有量の上限としては、当該組成物の総質量に対して、３０質量％が好ましく、１０質量％がより好ましく、５質量％がさらに好ましい。
【００５２】
当該組成物は、添加剤を実質的に含まず、実質的にエステルからなる場合、潤滑油基油又は金属加工油基油として有用である。組成物が「添加剤を実質的に含まない」とは、例えば、添加剤の合計含有量が５質量％未満であることをいう。組成物が「実質的にエステルからなる」とは、例えば、エステル（１）、エステル（２）及びエステル（３）の合計含有量が９５質量％以上であることをいう。
【００５３】
当該組成物の４０℃における動粘度としては、１４．０ｍｍ２／ｓ未満が好ましく、１３．５ｍｍ２／ｓ未満がより好ましく、１３．０ｍｍ２／ｓ未満がさらに好ましい。当該組成物の４０℃における動粘度としては、例えば１０．０ｍｍ２／ｓ以上であり、１１．０ｍｍ２／ｓ以上が好ましい。当該組成物の動粘度を上記範囲とすることで、金属加工等における精度、冷却性などをより改善することができる。
【００５４】
動粘度は、例えば、ＪＩＳ  Ｋ−２２８３に準拠して測定することができる。
【００５５】
当該組成物の引火点の下限としては、２４０℃が好ましく、２５０℃がより好ましく、２５４℃がさらに好ましく、２５６℃が特に好ましく、２５８℃がさらに特に好ましく、２６０℃が最も好ましい。当該組成物の引火点の上限としては、例えば２７０℃であり、２６５℃が好ましい。当該組成物の引火点を上記範囲とすることで、安全性をより向上させることができ、使用時において揮発する油による汚れや臭気などの作業環境の悪化をより改善することができる。
【００５６】
引火点は、例えば、ＪＩＳ  Ｋ−２２６５に準拠し、クリーブランド式オープンカップ法にて測定することができる。
【００５７】
当該組成物の流動点の上限としては、−２０℃が好ましく、−２５℃がより好ましく、−３０℃がさらに好ましく、−３５℃が特に好ましく、−４０℃がさらに特に好ましく、−４５℃が最も好ましい。当該組成物の流動点の下限としては、例えば−６０℃であり、−５０℃が好ましい。当該組成物の流動点を上記範囲とすることで、低温環境下においてもより固化し難く、加熱用の設備が不要となる。
【００５８】
流動点は、例えば、ＪＩＳ  Ｋ−２２６９に準拠して測定することができる。
【００５９】
当該組成物の水酸基価の上限としては、２ｍｇＫＯＨ／ｇが好ましく、１ｍｇＫＯＨ／ｇがより好ましい。当該組成物の水酸基価の下限としては、例えば０ｍｇＫＯＨ／ｇであり、０．１ｍｇＫＯＨ／ｇが好ましい。
【００６０】
「水酸基価」は、例えば通常の水酸基価の測定方法により求めることができるが、その他に、ガスクロマトグラフィー（ＧＣ）、ガスクロマトグラフィー−質量分析法（ＧＣ−ＭＳ）等により、遊離アルコールの含有量を測定することにより求めることもできる。
【００６１】
［組成物の製造方法］
当該組成物は、例えば、アルコール（１）及びアルコール（２）と、オレイン酸とを反応させてエステルを得る工程（以下、「エステル化工程」ともいう）を備える製造方法により製造することができる。
【００６２】
当該組成物の製造方法は、エステル化工程後に、得られたエステルから低沸点成分を除去してエステル化粗物を得る工程（以下、「低沸点成分除去工程」ともいう）をさらに備えることが好ましく、低沸点成分除去工程後に、得られたエステル化粗物を処理剤で処理する工程（以下、「処理工程」ともいう）をさらに備えていてもよい。
以下、各工程について説明する。
【００６３】
（エステル化工程）
本工程では、アルコール（１）及びアルコール（２）と、オレイン酸とを反応させてエステルを得る。より具体的には、アルコール（１）及びアルコール（２）を含むアルコール成分と、オレイン酸を含む脂肪酸成分とを混合し、必要に応じて触媒を加え、加熱し、生成した水を除去しながらエステル化反応を行う。
【００６４】
アルコール成分と脂肪酸成分との当量比として、アルコール成分１モルに対し、脂肪酸成分としては、０．８〜１．５モルが好ましく、生産効率と経済性の観点から、０．９〜１．２モルがより好ましい。アルコール成分中のアルコール（１）及びアルコール（２）のモル数は、アルコール成分のガスクロマトグラフィー分析により、アルコール（１）及びアルコール（２）の各面積割合（ＧＣ％）を測定し、２−ブチル−１−オクタノールのファクターを用いることにより算出することができる。
【００６５】
触媒としては、例えば、硫酸、メタンスルホン酸、ｐ−トルエンスルホン酸などのプロトン酸、チタン、ジルコニウム、ハフニウム、スズ、亜鉛等の元素を含むルイス酸などの酸触媒などが挙げられる。触媒の使用量としては、アルコール成分及び脂肪酸成分の合計に対して、０．０１〜１０質量％が好ましく、０．０５〜１質量％がより好ましい。
【００６６】
エステル化反応の温度の下限としては、１６０℃が好ましく、２００℃がより好ましく、２１５℃がさらに好ましく、２３０℃が特に好ましい。エステル化反応の温度の上限としては、例えば２４０℃であり、２３５℃が好ましい。
【００６７】
エステル化反応は、常圧下で行っても、減圧下で行ってもよいが、生成水の除去容易の観点から、減圧下が好ましい。減圧時の圧力の下限としては、例えば１Ｔｏｒｒであり、１０Ｔｏｒｒが好ましく、５０Ｔｏｒｒがより好ましい。減圧時の圧力の上限としては、例えば２００Ｔｏｒｒであり、１５０Ｔｏｒｒが好ましい。
【００６８】
エステル化反応の時間の下限としては、１０分が好ましく、３０分がより好ましく、１時間がさらに好ましく、２時間が特に好ましい。エステル化反応の時間の上限としては、２４時間が好ましく、１２時間がより好ましく、８時間がさらに好ましく、５時間が特に好ましい。
【００６９】
エステル化反応は、例えば、反応液の酸価を測定しながら行うことが好ましい。反応液の酸価としては、５ｍｇＫＯＨ／ｇ以下が好ましく、１〜３ｍｇＫＯＨ／ｇがより好ましい。酸価は、例えば、ＪＯＣＳ（日本油化学会）  ２．３．１に準拠して測定することができる。
【００７０】
（低沸点成分除去工程）
本工程では、得られたエステルから低沸点成分を除去してエステル化粗物を得る。ここでの「低沸点成分」とは、エステルを構成する脂肪酸の炭素数が１７以下であるエステル（低沸点エステル）、遊離のアルコール（１）、遊離のアルコール（２）、遊離のオレイン酸、遊離の炭素数１７以下の脂肪酸を含む。
【００７１】
本工程は、具体的には、１７０℃〜２３０℃の温度、０Ｔｏｒｒ超１００Ｔｏｒｒ以下の圧力の減圧下で、低沸点成分を留去する。
【００７２】
（処理工程）
本工程では、得られたエステル化粗物を処理剤で処理する。
【００７３】
処理剤としては、例えば、活性炭、活性白土等が挙げられる。処理剤の使用量としては、例えばエステル化粗物に対して、通常０．０１〜５質量％であり、０．１〜１質量％が好ましい。
【００７４】
処理の方法としては、例えば、エステル化粗物に処理剤を投入し、５０℃〜１００℃で、１０分〜２時間程度攪拌し、次いで１０分〜２時間程度減圧下で攪拌した後、処理剤を濾過して除去する方法等が挙げられる。
【００７５】
エステル化反応を行う前に、例えば、エステルの原料の脂肪酸から、炭素数が１７以下である脂肪酸を除去する精製工程を行ってもよいが、行わなくてもよい。
【００７６】
エステル化粗物中の余剰の遊離の脂肪酸を除去するために、例えば、水酸化ナトリウム、水酸化カリウム、炭酸ナトリウム、炭酸カリウム等のアルカリによる脂肪酸の中和精製工程を行ってもよいが、行わなくてもよい。
【００７７】
本発明は、本発明の効果を奏する限り、本発明の技術的範囲内において、上述の構成を種々組み合わせた態様を含む。
【実施例】
【００７８】
次に、実施例を挙げて本発明をさらに具体的に説明するが、本発明はこれらの実施例により何ら限定されるものではなく、多くの変形が本発明の技術的思想内で当分野において通常の知識を有する者により可能である。
【００７９】
実施例及び比較例の組成物の製造におけるエステル化反応の反応液の酸価は、ＪＯＣＳ（日本油化学会）  ２．３．１に準拠して測定した。
【００８０】
＜組成物の製造＞
実施例１〜３で用いた「Ｃ１２／Ｃ１３混合アルコール」は、α−オレフィン由来の炭素数１２のアルコール（アルコール（１））及び炭素数１３のアルコール（アルコール（２））の混合物である。
実施例１〜３並びに比較例１及び２で用いた「オレイン酸含有脂肪酸混合物」は、Ｅｖｙａｐ  Ｓａｂｕｎ  Ｍａｌａｙｓｉａ社の「Ｅｖｙａｐ  Ｏｌｅｏ  Ｏ−１８７５」である。オレイン酸含有率は７５質量％以上である。
【００８１】
［実施例１］
攪拌器、温度計及び冷却管付きディーンスターク管を備えた１Ｌの４つ口フラスコに、オレイン酸含有脂肪酸混合物３８０ｇ、Ｃ１２／Ｃ１３混合アルコール３１３．９ｇ、及び触媒としての酸化スズを総量に対し０．１質量％仕込み、窒素雰囲気下で２３０℃まで昇温した。２３０℃到達後、減圧し、留出してくる生成水をディーンスターク管で除去しながら、エステル化反応を行った。酸価が１．０ｍｇＫＯＨ／ｇ以下になったところで反応を終了した。反応終了後、過剰のアルコールと低沸点成分とを留去してエステル化粗物を得た。得られたエステル化粗物に対してそれぞれ０．２質量％の活性炭と活性白土を投入し、８０℃で３０分攪拌した後、１時間減圧下で攪拌した。その後、常圧に戻し、濾過してそれらを除去し、組成物Ａを得た。
【００８２】
［実施例２］
攪拌器、温度計及び冷却管付きディーンスターク管を備えた１Ｌの４つ口フラスコに、オレイン酸含有脂肪酸混合物３８０ｇ、２−ブチル−１−オクタノール６８．７ｇ（０．３７モル）、Ｃ１２／Ｃ１３混合アルコール２４５．２ｇ、及び触媒としての酸化スズを総量に対し０．１質量％仕込み、窒素雰囲気下で２３０℃まで昇温した。２３０℃到達後、減圧し、留出してくる生成水をディーンスターク管で除去しながら、エステル化反応を行った。酸価が１．０ｍｇＫＯＨ／ｇ以下になったところで反応を終了した。反応終了後、過剰のアルコールと低沸点成分とを留去してエステル化粗物を得た。得られたエステル化粗物に対してそれぞれ０．２質量％の活性炭と活性白土を投入し、８０℃で３０分攪拌した後、１時間減圧下で攪拌した。その後、常圧に戻し、濾過してそれらを除去し、組成物Ｂを得た。
【００８３】
［実施例３］
攪拌器、温度計及び冷却管付きディーンスターク管を備えた１Ｌの４つ口フラスコに、オレイン酸含有脂肪酸混合物３８０ｇ、２−ブチル−１−オクタノール３００ｇ（１．６１モル）、Ｃ１２／Ｃ１３混合アルコール６．０ｇ、及び触媒としての酸化スズを総量に対し０．１質量％仕込み、窒素雰囲気下で２３０℃まで昇温した。２３０℃到達後、減圧し、留出してくる生成水をディーンスターク管で除去しながら、エステル化反応を行った。酸価が１．０ｍｇＫＯＨ／ｇ以下になったところで反応を終了した。反応終了後、過剰のアルコールと低沸点成分とを留去してエステル化粗物を得た。得られたエステル化粗物に対してそれぞれ０．２質量％の活性炭と活性白土を投入し、８０℃で３０分攪拌した後、１時間減圧下で攪拌した。その後、常圧に戻し、濾過してそれらを除去し、組成物Ｃを得た。
【００８４】
実施例１〜３で組成物の製造に用いたアルコール全体（炭素数１２及び炭素数１３の混合物）について、アルコール（１）及びアルコール（２）の含有割合（ＧＣ％）をガスクロマトグラフィー分析により測定した。ＧＣ測定条件を以下に示す。また、測定結果を下記表１に示す。
【００８５】
（ＧＣ測定条件）
装置：島津製作所社の「ＧＣ−２０１４」
カラム：アジレント・テクノロジー社の「ＤＢ−１ＨＴ」
カラム温度：７０℃（２分）→昇温速度１０℃／ｍｉｎ→３５０℃（５分）
サンプル量：１μＬ
キャリアガス：ヘリウム（全流量５７．８ｍＬ／ｍｉｎ）
インジェクション条件：スプリット（スプリット比５０）
インジェクション温度：３５０℃
検出器：ＦＩＤ
【００８６】
【表１】
0006682032.tif 000006
【００８７】
［比較例１］
攪拌器、温度計及び冷却管付きディーンスターク管を備えた１Ｌの４つ口フラスコに、オレイン酸含有脂肪酸混合物３８０ｇ、ブテン由来のイソトリデカノール（ＫＨＮＣ社の「トリデカノール」）３３０ｇ、及び触媒としての酸化スズを総量に対し０．１質量％仕込み、窒素雰囲気下で２３０℃まで昇温した。２３０℃到達後、減圧し、留出してくる生成水をディーンスターク管で除去しながら、エステル化反応を行った。酸価が１．０ｍｇＫＯＨ／ｇ以下になったところで反応を終了した。反応終了後、過剰のアルコールと低沸点成分とを留去してエステル化粗物を得た。得られたエステル化粗物に対してそれぞれ０．２質量％の活性炭と活性白土を投入し、８０℃で３０分攪拌した後、１時間減圧下で攪拌した。その後、常圧に戻し、濾過してそれらを除去し、組成物Ｄを得た。
【００８８】
［比較例２］
比較例１で用いたブテン由来のイソトリデカノールを、プロピレン由来のイソトリデカノール（Ｅｘｘｏｎ  Ｍｏｂｉｌ社の「Ｅｘｘａｌ１３」）に変えた以外は比較例１と同様にして、組成物Ｅを得た。
【００８９】
＜評価＞
実施例及び比較例で得られた組成物の各種分析は、以下の方法に従って行った。
【００９０】
動粘度：ＪＩＳ  Ｋ−２２８３に準拠して測定した。
引火点：ＪＩＳ  Ｋ−２２６５に準拠し、クリーブランド式オープンカップ法にて測定した。
流動点：ＪＩＳ  Ｋ−２２６９に準拠して測定した。
【００９１】
実施例１〜３並びに比較例１及び２で得られた組成物の動粘度（ｍｍ２／ｓ）、引火点（℃）及び流動点（℃）について、下記表２に示す。
【００９２】
【表２】
0006682032.tif 000007
【００９３】
表２の結果より明らかなように、実施例の組成物は、低動粘度、高引火点及び低流動点の全てを高いレベルで実現させることができる。
【産業上の利用可能性】
【００９４】
本発明の組成物は、低動粘度（例えば４０℃で１３．５ｍｍ２／ｓ未満）、高引火点（例えば２５０℃以上）及び低流動点（例えば−２５℃以下）の全てを高いレベルで実現させることができる。従って、本発明の組成物は、潤滑油等として好適に用いることができる。
【要約】      （修正有）【課題】低動粘度、高引火点及び低流動点の全てを高いレベルで実現することができる組成物の提供。【解決手段】式（１）及び式（２）で表されるアルコールとオレイン酸とのエステル（１）及び（２）を含有する組成物。式（１）中、ｍ１は、０〜８の整数である。ｎ１は、０〜８の整数である。ｐ１は、１〜９の整数である。但し、ｍ１＋ｎ１＋ｐ１は９である。式（２）中、ｍ２は、０〜９の整数である。ｎ２は、０〜９の整数である。ｐ２は、１〜１０の整数である。但し、ｍ２＋ｎ２＋ｐ２は１０である。エステル（１）とエステル（２）との割合が、エステル（１）／エステル（２）（質量比）＝４０／６０〜９９／１であることが好ましい。0006682032.tif 000010【選択図】なし